(57)【要約】【課題】  少なくとも２つの画像出力の相違を容易に診断する。【解決手段】  異なる画像出力装置における出力の相違を確認する対象となる色に対し、基本色の赤（Ｒ）、緑（Ｇ）及び青紫（Ｂ）に分解し、Ｒ，Ｇ，Ｂそれぞれの階調数を抽出して、無彩色に出力される基準パッチ２４４，２４６，２４８を生成する。また、基準パッチ２４４，２４６，２４８それぞれに対して無彩色の階調数の基となった基本色の階調数を例えば５ずつ増減させた複数の参照パッチを生成する。基準パッチ２４４，２４６，２４８及び複数の参照パッチを他の画像出力装置によって出力することにより、異なる画像出力装置における出力の相違を確認する。【選択図】          図５
2006093959.tif 000002
【特許請求の範囲】
【請求項１】
有彩色の画像を出力可能な第１の画像出力手段と、この第１の画像出力手段により出力された画像の少なくとも１つの色に対し、分解した基本色の階調数を抽出する抽出手段と、この抽出手段により抽出された基本色の階調数に関連して、前記第１の画像出力手段により無彩色に出力される基準パッチを生成する基準パッチ生成手段と、有彩色の画像を出力可能であり、前記基準パッチ生成手段により生成された基準パッチを出力する第２の画像出力手段とを有することを特徴とする画像処理システム。
【請求項２】
前記第１の画像出力手段が出力した画像に対し、前記抽出手段が基本色の階調数を抽出した画像上の位置近傍に、前記基準パッチ生成手段が生成した基準パッチを貼付する貼付手段をさらに有し、前記第２の画像出力手段は、前記貼付手段が基準パッチを貼付した画像を出力することを特徴とする請求項１記載の画像処理システム。
【請求項３】
前記基準パッチ生成手段が生成する基準パッチに対して、基本色の階調数を所定の値で増減させた参照パッチを生成する参照パッチ生成手段をさらに有し、前記第２の画像出力手段は、前記参照パッチ生成手段が生成した参照パッチをさらに出力することを特徴とする請求項１又は２記載の画像処理システム。
【請求項４】
前記第２の画像出力手段が出力する基準パッチ及び参照パッチがいずれも無彩色でない場合、最も無彩色に近い基準パッチ及び参照パッチのいずれかに対して、基本色の階調数を所定の値で増減させた調整参照パッチを生成する調整参照パッチ生成手段をさらに有し、前記第２の画像出力手段は、前記調整参照パッチ生成手段が生成した調整参照パッチを出力することを特徴とする請求項１乃至３いずれか記載の画像処理システム。
【請求項５】
有彩色の画像を第１の画像出力装置により出力し、前記第１の画像出力装置により出力された画像の少なくとも１つの色を分解した基本色の階調数を抽出し、抽出された基本色の階調数に関連して、前記第１の画像出力手段により無彩色に出力される基準パッチを生成し、有彩色の画像を出力可能な第２の画像出力装置によって、生成された基準パッチを出力することにより、前記第１の画像出力装置の出力と前記第２の画像出力装置の出力との相違を診断することを特徴とする画像出力装置の診断方法。
【請求項６】
前記第１の画像出力装置が出力した画像に対し、基本色の階調数を抽出した画像上の位置近傍に生成した基準パッチを貼付し、基準パッチを貼付した画像を前記第２の画像出力装置によって出力することを特徴とする請求項５記載の画像出力装置の診断方法。
【請求項７】
生成された基準パッチに対して基本色の階調数を所定の値で増減させた参照パッチを生成し、前記第２の画像出力装置によって、生成された参照パッチをさらに出力することを特徴とする請求項５又は６記載の画像出力装置の診断方法。
【請求項８】
前記第２の画像出力手段が出力する基準パッチ及び参照パッチがいずれも無彩色でない場合、最も無彩色に近い基準パッチ及び参照パッチのいずれかに対して、基本色の階調数を所定の値で増減させた調整参照パッチを生成し、前記第２の画像出力装置によって、生成された調整参照パッチを出力することを特徴とする請求項５乃至７いずれか記載の画像出力装置の診断方法。
【請求項９】
有彩色の画像を第１の画像表示装置により表示し、前記第１の画像表示装置により表示された画像の少なくとも１つの色を赤、緑及び青紫に分解し、赤、緑及び青紫それぞれの階調数を抽出し、赤、緑及び青紫それぞれの階調数に対応して、前記第１の画像表示装置により無彩色に表示される基準パッチを生成し、有彩色の画像を表示可能な第２の画像表示装置によって、生成された基準パッチを表示することにより、前記第１の画像表示装置による表示と前記第２の画像表示装置による表示との相違を診断することを特徴とする画像表示装置の診断方法。
【発明の詳細な説明】
【技術分野】
【０００１】
本発明は、画像処理システム並びに画像出力装置及び画像表示装置の診断方法に関するものである。
【背景技術】
【０００２】
特許文献１は、ネットワークを介してクライアントに画像を送信する場合に、クライアントのモニタに表示したカラーチャートをデジタルカメラで撮影し、撮影されたカラーチャートのデータを用いて色補正することにより、クライアントのモニタに適した画像に色補正して表示することを開示する。
【０００３】
【特許文献１】特開２００４−３２３９９号公報
【発明の開示】
【発明が解決しようとする課題】
【０００４】
しかしながら、特許文献１に記載されたように、デジタルカメラでカラーチャートを撮影することによって色補正するためのデータを作成する場合、デジタルカメラの特性を取得しなければならない。また、クライアントのモニタに対して色補正をする必要があるか否かにかかわらず、色補正をする処理を行なう必要があるという問題があった。
【０００５】
そこで、本発明は、少なくとも２つの画像出力の相違を容易に診断することができる画像処理システム並びに画像出力装置及び画像表示装置の診断方法を提供することを目的とする。
【課題を解決するための手段】
【０００６】
上記目的を達成するため、本発明の第１の特徴とするところは、有彩色の画像を出力可能な第１の画像出力手段と、この第１の画像出力手段により出力された画像の少なくとも１つの色に対し、分解した基本色の階調数を抽出する抽出手段と、この抽出手段により抽出された基本色の階調数に関連して、前記第１の画像出力手段により無彩色に出力される基準パッチを生成する基準パッチ生成手段と、有彩色の画像を出力可能であり、前記基準パッチ生成手段により生成された基準パッチを出力する第２の画像出力手段とを有する画像処理システムにある。即ち、第１の画像出力手段により無彩色に出力された基準パッチを第２の画像出力手段によって出力することができるので、第２の画像出力手段によって基準パッチが無彩色に出力されるか否かを確認することができ、第１の画像出力手段による画像出力と第２の画像出力手段による画像出力との相違を容易に診断することができる。
【０００７】
好適には、前記第１の画像出力手段が出力した画像に対し、前記抽出手段が基本色の階調数を抽出した画像上の位置近傍に、前記基準パッチ生成手段が生成した基準パッチを貼付する貼付手段をさらに有し、前記第２の画像出力手段は、前記貼付手段が基準パッチを貼付した画像を出力する。したがって、第１の画像出力手段及び第２の画像出力手段がそれぞれ出力する画像において、画像中の位置に依存するムラがある場合にも、画像出力の相違を容易に診断することができる。
【０００８】
また、好適には、前記基準パッチ生成手段が生成する基準パッチに対して、基本色の階調数を所定の値で増減させた参照パッチを生成する参照パッチ生成手段をさらに有し、前記第２の画像出力手段は、前記参照パッチ生成手段が生成した参照パッチをさらに出力する。したがって、第２の画像出力手段によって基準パッチが無彩色に出力されない場合にも、参照パッチが無彩色に近いか否かを確認することができるので、基本色の階調数を増減させた所定の値により、基準パッチの色が無彩色からずれている程度を確認することができる。
【０００９】
また、好適には、前記第２の画像出力手段が出力する基準パッチ及び参照パッチがいずれも無彩色でない場合、最も無彩色に近い基準パッチ及び参照パッチのいずれかに対して、基本色の階調数を所定の値で増減させた調整参照パッチを生成する調整参照パッチ生成手段をさらに有し、前記第２の画像出力手段は、前記調整参照パッチ生成手段が生成した調整参照パッチを出力する。したがって、調整参照パッチ生成手段が生成した調整参照パッチが無彩色に近いか否かを確認することができるので、第２の画像出力手段が出力する基準パッチ及び参照パッチがいずれも無彩色でない場合にも、第２の画像出力手段が出力した基準パッチの色が無彩色からずれている程度を確認することができる。
【００１０】
また、本発明の第２の特徴とするところは、有彩色の画像を第１の画像出力装置により出力し、前記第１の画像出力装置により出力された画像の少なくとも１つの色を分解した基本色の階調数を抽出し、抽出された基本色の階調数に関連して、前記第１の画像出力手段により無彩色に出力される基準パッチを生成し、有彩色の画像を出力可能な第２の画像出力装置によって、生成された基準パッチを出力することにより、前記第１の画像出力装置の出力と前記第２の画像出力装置の出力との相違を診断する画像出力装置の診断方法にある。即ち、第１の画像出力装置により無彩色に出力された基準パッチを第２の画像出力装置によって出力することができるので、第２の画像出力装置によって基準パッチが無彩色に出力されるか否かを確認することができ、第１の画像出力装置による画像出力と第２の画像出力装置による画像出力との相違を容易に診断することができる。
【００１１】
好適には、前記第１の画像出力装置が出力した画像に対し、基本色の階調数を抽出した画像上の位置近傍に生成した基準パッチを貼付し、基準パッチを貼付した画像を前記第２の画像出力装置によって出力する。したがって、第１の画像出力装置及び第２の画像出力装置がそれぞれ出力する画像において、画像中の位置に依存するムラがある場合にも、画像出力の相違を容易に診断することができる。
【００１２】
また、好適には、生成された基準パッチに対して基本色の階調数を所定の値で増減させた参照パッチを生成し、前記第２の画像出力装置によって、生成された参照パッチをさらに出力する。したがって、第２の画像出力装置によって基準パッチが無彩色に出力されない場合にも、参照パッチが無彩色に近いか否かを確認することができるので、基本色の階調数を増減させた所定の値により、基準パッチの色が無彩色からずれている程度を確認することができる。
【００１３】
また、好適には、前記第２の画像出力手段が出力する基準パッチ及び参照パッチがいずれも無彩色でない場合、最も無彩色に近い基準パッチ及び参照パッチのいずれかに対して、基本色の階調数を所定の値で増減させた調整参照パッチを生成し、前記第２の画像出力装置によって、生成された調整参照パッチを出力する。したがって、生成した調整参照パッチが無彩色に近いか否かを確認することができるので、第２の画像出力装置が出力する基準パッチ及び参照パッチがいずれも無彩色でない場合にも、第２の画像出力装置が出力した基準パッチの色が無彩色からずれている程度を確認することができる。
【００１４】
また、本発明の第３の特徴とするところは、有彩色の画像を第１の画像表示装置により表示し、前記第１の画像表示装置により表示された画像の少なくとも１つの色を赤、緑及び青紫に分解し、赤、緑及び青紫それぞれの階調数を抽出し、赤、緑及び青紫それぞれの階調数に対応して、前記第１の画像表示装置により無彩色に表示される基準パッチを生成し、有彩色の画像を表示可能な第２の画像表示装置によって、生成された基準パッチを表示することにより、前記第１の画像表示装置による表示と前記第２の画像表示装置による表示との相違を診断する画像表示装置の診断方法にある。即ち、第１の画像表示装置により無彩色に表示された基準パッチを第２の画像表示装置によって表示することができるので、第２の画像表示装置によって基準パッチが無彩色に表示されるか否かを確認することができ、第１の画像表示装置による画像表示と第２の画像表示装置による画像表示との相違を容易に診断することができる。
【発明の効果】
【００１５】
本発明によれば、少なくとも２つの画像出力の相違を容易に診断することができる。
【発明を実施するための最良の形態】
【００１６】
次に本発明の実施形態を図面に基づいて説明する。
図１において、本発明の実施形態に係る画像処理システム１が示されている。画像処理システム１は、例えばＷｅｂデザインを発注するクライアント側に設置されたＰＣ（Personal Computer）などの画像処理装置２が、Ｗｅｂデザインを受注するデザイナー側に設置された複数のＰＣなどの画像処理装置３，３'などにネットワーク４を介して接続されることにより構成される。
画像処理装置２は、図示しないＣＰＵ及び記憶装置などを含む画像処理装置本体２０、マウス及びキーボードなどの入力装置２２並びにＣＲＴ表示装置又はＬＣＤ表示装置などのカラー表示可能な表示装置２４を有し、カラー画像を印刷可能な印刷装置２６が接続されている。画像処理装置３，３’は、それぞれ図示しないＣＰＵ及び記憶装置などを含む画像処理装置本体３０，３０'、マウス及びキーボードなどの入力装置３２，３２'並びにＣＲＴ表示装置又はＬＣＤ表示装置などのカラー表示可能な表示装置３４，３４'を有し、カラー画像を印刷可能な印刷装置３６，３６'が接続されている。
【００１７】
図２は、画像処理システム１のクライアント側において、画像処理装置本体２０により実行されるパッチ配列貼付プログラム５の構成を示すプログラム構成図である。図２に示すように、パッチ配列貼付プログラム５は、階調数抽出部５０、抽出位置記憶部５２、基準パッチ生成部５４、参照パッチ生成部５６及びパッチ配列貼付処理部５８から構成される。
【００１８】
階調数抽出部５０は、図３に示すように、表示装置２４に表示された画像２４０に対し、例えば画像処理装置３（図１）による表示との相違を確認する対象となる色が入力装置２２を介してカーソル２４２により指定（クリック）されると、指定された色を基本色の赤（Ｒ）、緑（Ｇ）及び青紫（Ｂ）に分解し、Ｒ，Ｇ，Ｂそれぞれの階調数を抽出して、基準パッチ生成部５４に対して出力する。例えば、指定された色は、抽出された階調数がＲ＝１０，Ｇ＝６０，Ｂ＝２３０となっている。
【００１９】
抽出位置記憶部５２（図２）は、表示装置２４に表示された画像２４０（図３）に対し、例えば画像処理装置３による表示との相違を確認する対象となる色が入力装置２２を介してカーソル２４２により指定（クリック）されると、画像２４０上のクリックされた位置を記憶し、パッチ配列貼付処理部５８に対して出力する。つまり、抽出位置記憶部５２は、階調数抽出部５０が基本色の階調数を抽出した画像上の位置を記憶し、パッチ配列貼付処理部５８に対して出力する。例えば、抽出位置記憶部５２は、画像２４０の走査開始位置（図３において左上）を座標原点（０，０）とし、主走査方向の座標ｘ及び副走査方向の座標ｙにより、カーソル２４２により指定された位置を座標（ｘ，ｙ）として記憶する。
【００２０】
基準パッチ生成部５４（図２）は、抽出されたＲ，Ｇ，Ｂの階調数を階調数抽出部５０から受入れ、Ｒ，Ｇ，Ｂの階調数に対応した３つの階調数の無彩色パッチを基準パッチとして生成し、参照パッチ生成部５６に対して出力する。
例えば、図４に示すように、基準パッチ生成部５４は、階調数抽出部５０により抽出されたＲ＝１０，Ｇ＝６０，Ｂ＝２３０の３つの階調数に対し、Ｒの階調数と同じ階調数の無彩色パッチ（Ｒ＝１０，Ｇ＝１０，Ｂ＝１０）、Ｇの階調数と同じ階調数の無彩色パッチ（Ｒ＝６０，Ｇ＝６０，Ｂ＝６０）及びＢの階調数と同じ階調数の無彩色パッチ（Ｒ＝２３０，Ｇ＝２３０，Ｂ＝２３０）をそれぞれ正方形の基準パッチ２４４，２４６，２４８として生成する。つまり、基準パッチ２４４，２４６，２４８は、画像処理装置２の表示装置２４において無彩色に表示されるように生成される。
【００２１】
参照パッチ生成部５６（図２）は、生成された基準パッチ２４４，２４６，２４８を基準パッチ生成部５４から受け入れ、基準パッチ２４４，２４６，２４８それぞれに対して無彩色の階調数の基となった基本色の階調数を例えば５ずつ増減させた複数の参照パッチを生成し、生成した複数の参照パッチを基準パッチ２４４，２４６，２４８と共にパッチ配列貼付処理部５８に対し出力する。
【００２２】
図５において、基準パッチ２４４，２４６，２４８及び参照パッチの第一例（パッチ配列の第一例）におけるＲ，Ｇ，Ｂの階調数が例示されている。
例えば、図５に示すように、参照パッチ生成部５６は、基準パッチ２４４に対し、無彩色の階調数の基となったＲの階調数を例えば５ずつ増減させた参照パッチ２５０ａ〜２５０ｅを生成する。また、参照パッチ生成部５６は、基準パッチ２４６に対し、無彩色の階調数の基となったＧの階調数を例えば５ずつ増減させた参照パッチ２５２ａ〜２５２ｆを生成する。また、参照パッチ生成部５６は、基準パッチ２４８に対し、無彩色の階調数の基となったＢの階調数を例えば５ずつ増減させた参照パッチ２５４ａ〜２５４ｆを生成する。
【００２３】
パッチ配列貼付処理部５８（図２）は、参照パッチ生成部５６から入力された基準パッチ２４４，２４６，２４８及び参照パッチ２５０ａ〜２５０ｅ，２５２ａ〜２５２ｆ，２５４ａ〜２５４ｆを階調数に応じて配列することにより、図５に示したパッチ配列２６０を形成する。なお、パッチ配列２６０（第一例）は、図５に示したように、基準となる３つのパッチ（基準パッチ２４４，２４６，２４８）及びこれらのパッチそれぞれに対して生成された参照パッチを配列したものとする。
【００２４】
また、パッチ配列貼付処理部５８（図２）は、画像２４０上の座標（ｘ，ｙ）を抽出位置記憶部５２から受け入れ、図６に示すように、画像２４０に対してパッチ配列２６０が画像２４０上の座標（ｘ，ｙ）近傍に貼付されるよう画像データを処理（生成）し、表示装置２４に対して出力する。
【００２５】
次に、Ｗｅｂデザインを発注するクライアント及びＷｅｂデザインを受注するデザイナーが、表示装置２４による画像表示と表示装置３４による画像表示との相違を診断する方法について説明する。
図７は、クライアント及びデザイナーが、表示装置２４による画像表示と表示装置３４による画像表示との相違を診断する方法（Ｓ１０）を示すフローチャートである。
図７に示すように、ステップ１００（Ｓ１００）において、デザイナーは、作成したＷｅｂデザインである画像２４０を表示する画像データをクライアントに対して送信する。例えば、画像２４０を表示する画像データが画像処理装置３から画像処理装置２に対し、ネットワーク４を介して送信される。
【００２６】
ステップ１０２（Ｓ１０２）において、クライアントは、受信した画像データによって表示装置２４に画像２４０を表示する。
【００２７】
ステップ１０４（Ｓ１０４）において、画像２４０の相違を確認する対象となる色（対象色）をクライアントが入力装置２２によって指定することにより、抽出位置記憶部５２は、画像２４０上の対象色が指定された位置の座標（ｘ，ｙ）を記憶する。
【００２８】
ステップ１０６（Ｓ１０６）において、クライアントがＳ１０４により指定した対象色を、階調数抽出部５０が基本色の赤（Ｒ）、緑（Ｇ）及び青紫（Ｂ）に分解し、対象色からＲ，Ｇ，Ｂそれぞれの階調数を抽出する。
【００２９】
ステップ１０８（Ｓ１０８）において、基準パッチ生成部５４は、Ｒ，Ｇ，Ｂの階調数に対応した例えば３つの階調数の無彩色パッチを基準パッチ２４４，２４６，２４８として生成する。
【００３０】
ステップ１１０（Ｓ１１０）において、参照パッチ生成部５６は、基準パッチ２４４，２４６，２４８それぞれに対して無彩色の階調数の基となった基本色の階調数を例えば５ずつ増減させた複数の参照パッチ２５０ａ〜２５０ｅ，２５２ａ〜２５２ｆ，２５４ａ〜２５４ｆを生成する。
【００３１】
ステップ１１２（Ｓ１１２）において、パッチ貼付処理部５８は、パッチ配列２６０を形成し、画像２４０に対してパッチ配列２６０が画像２４０上の座標（ｘ，ｙ）近傍に貼付されるよう画像データを処理（生成）する。
【００３２】
ステップ１１４（Ｓ１１４）において、クライアントは、表示装置２４に表示されている画像２４０に貼付されたパッチ配列２６０を目視し、基準パッチ２４４，２４６，２４８が無彩色であることを確認する。
【００３３】
ステップ１１６（Ｓ１１６）において、クライアントは、パッチ配列２６０が貼付された画像２４０を表示する画像データを、画像２４０を作成したデザイナーに対して返信する。例えば、パッチ配列２６０が貼付された画像２４０を表示する画像データが画像処理装置２から画像処理装置３に対し、ネットワーク４を介して送信される。
【００３４】
ステップ１１８（Ｓ１１８）において、デザイナーは受信した画像データによってパッチ配列２６０が貼付された画像２４０を表示装置３４に表示する。
【００３５】
ステップ１２０（Ｓ１２０）において、デザイナーは、表示装置３４に表示されている画像２４０に貼付されたパッチ配列２６０を目視し、基準パッチ２４４，２４６，２４８が無彩色であるか否かを確認すると共に、基準パッチ２４４，２４６，２４８が無彩色でない場合には、参照パッチ２５０ａ〜２５０ｅ，２５２ａ〜２５２ｆ，２５４ａ〜２５４ｆにより、表示装置２４による対象色の表示と表示装置３４による対象色の表示との相違を確認する。つまり、表示装置３４に表示されたパッチ配列２６０において、基準パッチ２４４，２４６，２４８が無彩色でなく、参照パッチ２５０ａ〜２５０ｅ，２５２ａ〜２５２ｆ，２５４ａ〜２５４ｆのいずれかが無彩色又は無彩色に近い場合には、無彩色又は無彩色に近い参照パッチと基準パッチとの間のＲ，Ｇ，Ｂの差によって、デザイナーは、表示装置２４に表示される色と表示装置３４に表示される色との相違の程度を把握することができる。
【００３６】
ステップ１２２（Ｓ１２２）において、デザイナーがＳ１２０の結果をクライアントに対して連絡し、クライアント及びデザイナーが互いにパッチ配列２６０がどのように見えているかを確認する。
なお、Ｓ１０に示した方法においては、クライアントの表示装置２４では基準パッチ２４４，２４６，２４８が無彩色に表示されていることを前提として説明したが、基準パッチ２４４，２４６，２４８が無彩色に表示されていない場合にはクライアントも無彩色を確認する作業（クライアントによるＳ１１８〜Ｓ１２２に相当する作業）を実施し、お互いの見えについて確認することになる。
【００３７】
したがって、デザイナーが作成したＷｅｂデザインである画像２４０の色がクライアントの意図したものと異なるという問題が生じた場合、Ｓ１０により、クライアントの意思がデザイナーに明確に伝わっていなかったために問題が生じたのか、又は、デザイナーが見ている表示装置３４上の色とクライアントが見ている表示装置２４上の色とが異なるために問題が生じたのかを容易に判断することができる。
なお、画像２４０の複数の色それぞれに対してパッチ配列２６０が生成され、複数のパッチ配列２６０が貼付された画像２４０を表示する画像データがデザイナーとクライアントとの間で送受されてもよい。
【００３８】
次に、参照パッチ生成部５６が生成する参照パッチの第二例について説明する。
図８において、参照パッチの第二例におけるＲ，Ｇ，Ｂの階調数が例示されている。図８に示すように、参照パッチの第二例は、例えば基準パッチ２４８に対し、無彩色の階調数の基となったＢの階調数を固定し、Ｒの階調数を例えば５ずつ増減させた５段階の参照パッチと、Ｇの階調数を例えば５ずつ増減させた５段階の参照パッチとを組合わせられることにより、２４通りのＲ，Ｇの階調数が設定されている。
【００３９】
また、基準パッチ２４４，２４６に対しても同様に、無彩色の階調数の基となったＲ，Ｇの階調数を固定し、それぞれ他の２色の階調数を例えば５ずつ増減させたそれぞれ５段階の参照パッチの組合わせにより、２４通りの他の２色の階調数が設定されている。
このように、基準パッチ２４４，２４６，２４８それぞれに対して２４通りずつの参照パッチが設定されることにより、パッチ配列の第二例が形成されるようになっている。なお、パッチ配列の第二例は、基準となる３つのパッチ（基準パッチ２４４，２４６，２４８）及びこれらのパッチそれぞれに対して生成された参照パッチを階調数に応じて配列したものとする。
【００４０】
また、パッチ配列の第二例が貼付された画像２４０がデザイナーに対して返信され、基準パッチ２４４，２４６，２４８が表示装置３４によって無彩色に表示されない場合、無彩色又は無彩色に近い参照パッチと基準パッチとの間のＲ，Ｇ，Ｂの階調数の差によって、デザイナーは、表示装置２４に表示される色と表示装置３４に表示される色との相違の程度を、パッチ配列２６０（第一例）が画像２４０に貼付された場合よりも詳細に把握することができる。
【００４１】
次に、パッチ配列の第二例からパッチ配列の第三例を生成することにより、クライアント及びデザイナーが表示装置２４による画像表示と表示装置３４による画像表示との間でＲ，Ｇ，Ｂの階調数がどの程度ずれているか（ずれ量）を確認する方法について説明する。
図９は、パッチ配列の第二例が貼付された画像２４０が表示装置３４によって表示された状態で、例えば画像処理装置本体３０によって実行されるずれ量確認プログラム６の構成を示すプログラム構成図である。図９に示すように、ずれ量確認プログラム６は、調整基準パッチ設定部６０、貼付位置記憶部６２、調整参照パッチ生成部６４及びパッチ配列貼付処理部６６から構成される。
【００４２】
調整基準パッチ設定部６０は、参照パッチの第二例によって形成されるパッチ配列の第二例（図８参照）が表示装置３４に表示され、基準パッチ及び参照パッチがいずれも無彩色でない場合、パッチ配列の第二例が貼付された画像２４０に対し、最も無彩色に近い基準パッチ又は参照パッチのいずれかがデザイナーによって入力装置３２を介して指定されると、指定された基準パッチ又は参照パッチのいずれかを調整の基準となる調整基準パッチとして設定し、調整参照パッチ生成部６４に対して出力する。
例えば、図８に示すように、破線で囲まれた参照パッチ（Ｒ＝２４０，Ｇ＝２２５，Ｂ＝２３０）が表示装置３４において最も無彩色に近い色として指定された場合、調整基準パッチ設定部６０は、参照パッチ（Ｒ＝２４０，Ｇ＝２２５，Ｂ＝２３０）を調整基準パッチ２７０として設定する。
【００４３】
貼付位置記憶部６２（図９）は、表示装置３４に表示された画像２４０上のパッチ配列の貼付位置を記憶し、パッチ配列貼付処理部６６に対して出力する。
【００４４】
調整参照パッチ生成部６４は、設定された調整基準パッチ２７０を調整基準パッチ設定部６０から受け入れ、調整基準パッチ２７０に対してＲ，Ｇ，Ｂそれぞれの階調数を所定の値で増減させた複数の調整参照パッチを生成し、生成した複数の調整参照パッチを調整基準パッチ２７０と共にパッチ配列貼付処理部６６に対し出力する。
【００４５】
例えば、調整参照パッチ生成部６４は、図１０に示すように、調整基準パッチ設定部６０により設定された調整基準パッチ２７０に対し、例えばＢの階調数を固定し、Ｒの階調数を例えば５ずつ増減させた５段階の調整参照パッチと、Ｇの階調数を例えば５ずつ増減させた５段階の調整参照パッチとを組合わせることにより、２４通りのＲ，Ｇの階調数が設定された調整参照パッチを生成する。
また、調整参照パッチ生成部６４は、調整基準パッチ２７０に対し、Ｒ，Ｇの階調数を固定し、それぞれ他の２色の階調数を所定の値で（例えば５ずつ）増減させたそれぞれ５段階の調整参照パッチの組合わせにより、２４通りの他の２色の階調数が設定された調整参照パッチを生成する。なお、階調数を増減させる所定の値は、クライアントが任意に設定するようにしてもよい。
このように、調整基準パッチ２７０に対して、Ｒ，Ｇ，Ｂそれぞれの階調数を固定した２４通りずつの調整参照パッチが設定されることにより、後述するパッチ配列の第三例が形成されるようになっている。
【００４６】
パッチ配列貼付処理部６６（図９）は、調整参照パッチ生成部６４から入力された調整基準パッチ２７０及び複数の調整参照パッチを階調数に応じて配列することにより、パッチ配列の第三例を形成する。なお、パッチ配列の第三例は、Ｒ，Ｇ，Ｂそれぞれの階調数を個別に固定した２４通りずつの調整参照パッチそれぞれに調整基準パッチを加え、階調数に応じて配列したものとする（図１０参照）。
【００４７】
また、パッチ配列貼付処理部６６（図９）は、パッチ配列の貼付位置を貼付位置記憶部６２から受け入れ、画像２４０に対してパッチ配列の第三例がパッチ配列の貼付位置近傍に貼付されるよう画像データを処理（生成）し、表示装置３４に対して出力する。
【００４８】
図１１は、クライアント及びデザイナーが表示装置２４による画像表示と表示装置３４による画像表示との間でＲ，Ｇ，Ｂの階調数がどの程度ずれているか（ずれ量）を確認する方法（Ｓ２０）を示すフローチャートである。
図１１に示すように、ステップ２００（Ｓ２００）において、パッチ配列の第二例が貼付されて表示装置３４に表示された画像２４０に対し、最も無彩色に近い基準パッチ又は参照パッチのいずれかをデザイナーが入力装置３２を介して指定することにより、調整基準パッチ設定部６０は、指定された基準パッチ又は参照パッチのいずれかを調整基準パッチとして設定する。
例えば、図８に示すように、破線で囲まれた参照パッチ（Ｒ＝２４０，Ｇ＝２２５，Ｂ＝２３０）をデザイナーが指定することにより、調整基準パッチ設定部６０は、参照パッチ（Ｒ＝２４０，Ｇ＝２２５，Ｂ＝２３０）を調整基準パッチ２７０として設定する。
【００４９】
ステップ２０２（Ｓ２０２）において、調整参照パッチ生成部６４は、設定された調整基準パッチに対してＲ，Ｇ，Ｂそれぞれの階調数を所定の値で増減させた複数の調整参照パッチを生成する。
例えば、調整参照パッチ生成部６４は、Ｓ２００において指定された調整基準パッチ２７０に対し、Ｒ，Ｇ，Ｂの階調数を個別に固定して図１０に例示した複数の調整参照パッチを生成する。
【００５０】
ステップ２０４（Ｓ２０４）において、パッチ配列貼付処理部６６は、調整基準パッチ２７０及び複数の調整参照パッチを階調数に応じて配列することによってパッチ配列の第三例を形成し、パッチ配列の第三例を表示装置３４に表示された画像２４０上のパッチ配列の貼付位置近傍に貼付する。
【００５１】
ステップ２０６（Ｓ２０６）において、デザイナーは、パッチ配列の第三例が貼付された画像２４０を目視することにより、パッチ配列の第三例に無彩色のパッチと認められる調整参照パッチがあるか否かを確認する。無彩色のパッチと認められる調整参照パッチがない場合にはＳ２０８の処理に進み、無彩色のパッチと認められる調整参照パッチがある場合にはＳ２１０の処理に進む。
【００５２】
ステップ２０８（Ｓ２０８）において、パッチ配列の第三例が貼付された画像２４０に対し、最も無彩色に近い調整基準パッチ又は調整参照パッチのいずれかをデザイナーが入力装置３２を介して指定することにより、調整基準パッチ設定部６０は、指定された調整基準パッチ又は調整参照パッチのいずれかを新たな調整基準パッチとして設定する。なお、調整基準パッチ２７０が最も無彩色に近い色である場合には、調整参照パッチ生成部６４において階調数を増減させる所定の値をデザイナーが小さくする。
【００５３】
ステップ２１０（Ｓ２１０）において、デザイナーは、画像２４０に貼付されたパッチ配列の第三例から、基準パッチ（表示装置２４において無彩色に表示される）と表示装置３４において無彩色のパッチと認められる調整参照パッチとの間でＲ，Ｇ，Ｂの階調数がどの程度ずれているかを確認する。
例えば、図１０に示すように、一点鎖線で囲まれた調整参照パッチ２７２（Ｒ＝２５０，Ｇ＝２１５，Ｂ＝２３０）が表示装置３４において無彩色に表示されている場合、デザイナーは、基準パッチ２４８に対する調整参照パッチ２７２のＲ，Ｇ，Ｂそれぞれの階調数の差から表示装置２４に表示される色と表示装置３４に表示される色との間のずれ量を把握することができる。つまり、デザイナーは、表示装置３４に表示される対象色に対し、表示装置２４に表示される対象色は、階調数のずれ量がＲ＝−２０，Ｇ＝＋１５，Ｂ＝０となっていることを確認することができる。
【００５４】
ステップ２１２（Ｓ２１２）において、デザイナーがＳ２１０の結果をクライアントに対して連絡し、パッチ配列の第三例の色の相違について確認する。
つまり、クライアント及びデザイナーが表示装置２４に表示される色と表示装置３４に表示される色との間のずれ量を把握することができ、表示装置３４による表示に対する表示装置２４による表示のずれ量（Ｒ＝−２０，Ｇ＝＋１５，Ｂ＝０）を考慮したＷｅｂデザインである画像２４０をデザイナーが作成することにより、クライアントが意図した色の画像２４０を作成することができる。
なお、Ｓ２０に示した方法においては、クライアントの表示装置２４では基準パッチが無彩色に表示されていることを前提として説明したが、基準パッチが表示装置２４によって無彩色に表示されていない場合には、クライアントもずれ量を確認する作業（クライアントによるＳ２０における確認に相当する作業）を実施し、お互いの見えについて確認することになる。
【００５５】
また、上記実施形態においては、Ｒ，Ｇ，Ｂを基本色として、表示装置２４に表示される色と表示装置３４に表示される色との相違を診断する例について示したが、これに限定されることなく、例えば、イエロー（Ｙｅｌｌｏｗ）、マゼンタ（Ｍａｇｅｎｔａ）及びシアン（Ｃｙａｎ）を基本色として、印刷装置２６によって印刷される色と印刷装置３６，３６’によって印刷される色との相違を診断するようにしてもよい。
【図面の簡単な説明】
【００５６】
【図１】本発明の実施形態に係る画像処理システムの概略を示す構成図である。
【図２】画像処理システムのクライアント側において、画像処理装置本体により実行されるパッチ配列貼付プログラムの構成を示すプログラム構成図である。
【図３】表示装置に表示された画像において、表示の相違を確認する対象となる色をカーソルにより指定した状態を示す画面例である。
【図４】基準パッチ生成部により生成された基準パッチを示す模式図である。
【図５】基準パッチ及び参照パッチの第一例（パッチ配列の第一例）を示す模式図である。
【図６】表示装置に表示された画像に対して、パッチ配列が画像上の座標（ｘ，ｙ）近傍に貼付された状態を示す画面例である。
【図７】クライアント及びデザイナーが、異なる表示装置による画像表示の相違を診断する方法（Ｓ１０）を示すフローチャートである。
【図８】パッチ配列の第二例を構成する参照パッチの第二例を示す模式図である。
【図９】画像処理装置本体によって実行されるずれ量確認プログラムの構成を示すプログラム構成図である。
【図１０】パッチ配列の第三例を構成する参照パッチの第三例を示す模式図である。
【図１１】クライアント及びデザイナーが異なる表示装置による画像表示でＲ，Ｇ，Ｂの階調数がどの程度ずれているか（ずれ量）を確認する方法（Ｓ２０）を示すフローチャートである。
【符号の説明】
【００５７】
１・・・画像処理システム
２，３，３’・・・画像処理装置
２０，３０，３０’・・・画像処理装置本体
２２，３２，３２’・・・入力装置
２４，３４，３４’・・・表示装置
２６，３６，３６’・・・印刷装置
２４０・・・画像
２４２・・・カーソル
２４４，２４６，２４８・・・基準パッチ
２５０ａ〜２５０ｅ，２５２ａ〜２５２ｆ，２５４ａ〜２５４ｆ・・・参照パッチ
２６０・・・パッチ配列
２７０，２７２・・・調整基準パッチ
４・・・ネットワーク
５・・・パッチ配列貼付プログラム
５０・・・階調数抽出部
５２・・・抽出位置記憶部
５４・・・基準パッチ生成部
５６・・・参照パッチ生成部
５８・・・パッチ貼付処理部
６・・・ずれ量確認プログラム
６０・・・調整基準パッチ設定部
６２・・・貼付位置記憶部
６４・・・調整参照パッチ生成部
６６・・・パッチ配列貼付処理部
【図１】
2006093959.tif 000003
【図２】
2006093959.tif 000004
【図３】
2006093959.tif 000005
【図４】
2006093959.tif 000006
【図５】
2006093959.tif 000007
【図６】
2006093959.tif 000008
【図７】
2006093959.tif 000009
【図８】
2006093959.tif 000010
【図９】
2006093959.tif 000011
【図１０】
2006093959.tif 000012
【図１１】
2006093959.tif 000013